(57)【要約】      （修正有）【課題】加熱装置およびそれを使用する加熱システムを提供する。【解決手段】加熱装置１０は、内チャンバー２０、外チャンバー３０および加熱器４０を備える。内チャンバーは外チャンバーの内部に配置され、開口部２３および送水口２５が内格納室に繋がる。外チャンバーは、開口部３３が内チャンバーの開口部に対応するように外格納室３１に繋がり、送水口３５が外格納室３１に繋がり、貫通孔３７が内チャンバーの排水口２７に対応する。加熱器において、電熱管４５は一端が固定部４１に配置され、かつ制御回路４３に電気的に接続され、他端が内チャンバーの内格納室の中に配置される。制御回路はケーブルを有する。ケーブルは外部に接続される。加熱装置はさらに内チャンバーの外壁と外チャンバーの内壁との間に形成された導流路５０を有する。外チャンバーの送水口および内チャンバーの送水口は導流路に繋がる。上述した構造により、内チャンバーを効率高く加熱し、一定温度まで即時に加熱することができる。【選択図】図２
0003204272.tif 000002
【実用新案登録請求の範囲】
【請求項１】
内チャンバー、外チャンバーおよび加熱器を備え、
前記内チャンバーは、前記外チャンバーの内部に配置され、内格納室、開口部、送水口および排水口を有し、前記開口部、前記送水口および前記排水口は前記内格納室に繋がり、
前記外チャンバーは、外格納室、開口部、送水口および貫通孔を有し、前記開口部は前記内チャンバーの前記開口部に対応するように前記外格納室に繋がり、前記送水口は前記外格納室に繋がり、外部の水源を導入し、前記貫通孔は前記内チャンバーの前記排水口に対応し、前記内チャンバーの前記排水口を前記外チャンバーの外部に突出させ、
前記加熱器は、固定部、制御回路および電熱管を有し、前記電熱管の一端は前記固定部に配置され、かつ前記制御回路に電気的に接続され、前記電熱管の他端は前記内格納室の中に配置され、前記固定部は前記内チャンバーの前記開口部に当接して被覆し、前記制御回路はケーブルを有し、前記ケーブルは外部に接続され、
前記内チャンバーの外壁と前記外チャンバーの内壁との間には導流路があり、前記外チャンバーの前記送水口は前記導流路に繋がり、前記内チャンバーの前記送水口は前記導流路に繋がることを特徴とする、
加熱装置。
【請求項２】
前記導流路は、導流フィンを有し、前記導流フィンは前記外チャンバーの前記送水口から前記内チャンバーの前記送水口に向かってらせん状に分布することを特徴とする請求項１に記載の加熱装置。
【請求項３】
前記導流フィンは、前記内チャンバーの外壁に配置されることを特徴とする請求項２に記載の加熱装置。
【請求項４】
前記導流フィンは、前記外チャンバーの内壁に配置されることを特徴とする請求項２に記載の加熱装置。    
【請求項５】
前記内格納室の容積と前記導流路の容積との比は１：１から１：１５の間であることを特徴とする請求項１から請求項４のうちのいずれか一つに記載の加熱装置。
【請求項６】
前記内格納室の直径と前記外格納室の直径との比は１：１．１から１：４の間であることを特徴とする請求項１から請求項４のうちのいずれか一つに記載の加熱装置。
【請求項７】
請求項１から請求項４のうちのいずれか一つに記載の加熱装置および制御機構を備え、
前記制御機構は、電気制御モジュールおよび調節弁を有し、前記電気制御モジュールは前記調節弁に電気的に接続され、前記調節弁は一端の管路が前記加熱装置の前記外チャンバーの前記送水口に繋がり、他端が外部の水源に繋がり、
前記加熱装置の前記加熱器の前記制御回路は、前記電気制御モジュールに電気的に接続され、
前記電気制御モジュールは前記加熱装置の前記加熱器の前記電熱管を制御し、前記調節弁は前記加熱装置の前記外チャンバー内に流れ込む水流量を調節し、前記電熱管は水を加熱し、一定温度まで上昇させることを特徴とする、
加熱システム。
【考案の詳細な説明】
【技術分野】
【０００１】
本考案は、加熱技術に関し、詳しくは一定温度まで即時に加熱できる加熱装置およびそれを使用する加熱システムに関するものである。
【背景技術】
【０００２】
一般の加熱装置は、加熱器およびチャンバーから構成される。加熱器はチャンバー内に配置される。チャンバーは加熱に使う水源を保存する。加熱器が作動し、加熱する際、チャンバー内の低温状態の水源を一定温度まで徐々に加熱し、続いてチャンバーと繋がる排水口から一定温度に上昇した水源を外部へ導出することによって温熱水源を供給する。
【０００３】
しかしながら、水源を恒温に維持するのには、チャンバー内に保存された水源の容積量に対応し、加熱器に長時間の加熱状態を維持させることが必要であるため、加熱コストが高い。その一方で保存された水源の温度をコントロールすることが難しいため、改善の余地がある。
【考案の概要】
【考案が解決しようとする課題】
【０００４】
本考案は、上述した問題に鑑み、内チャンバーを効率高く加熱すると同時に一定温度まで即時に加熱することができる加熱装置と、それを使用する加熱システムとを提供することを主な目的とする。
【課題を解決するための手段】
【０００５】
上述した課題を解決するための加熱装置は、内チャンバー、外チャンバーおよび加熱器を備える。内チャンバーは外チャンバーの内部に配置される。
【０００６】
内チャンバーは、内格納室、開口部、送水口および排水口を有する。内チャンバーにおいて、開口部、送水口および排水口は内格納室に繋がる。
【０００７】
外チャンバーは、外格納室、開口部、送水口および貫通孔を有する。外チャンバーにおいて、開口部は内チャンバーの開口部に対応するように外格納室に繋がる。送水口は外格納室に繋がり、外部の水源を導入する。貫通孔は内チャンバーの排水口に対応し、内チャンバーの排水口を外チャンバーの外部に突出させる。
【０００８】
加熱器は、固定部、制御回路および電熱管を有する。電熱管の一端は固定部に配置され、かつ制御回路に電気的に接続される。電熱管の他端は内格納室の中に配置される。固定部は内チャンバーの開口部に当接する。制御回路はケーブルを有する。ケーブルは外部に接続される。
【０００９】
加熱装置は、さらに内チャンバーの外壁と外チャンバーの内壁との間に形成された導流路を有する。外チャンバーの送水口は導流路に繋がる。内チャンバーの送水口は導流路に繋がる。
【００１０】
比較的好ましい場合、導流路はさらに導流フィンを有する。導流フィンは外チャンバーの送水口から内チャンバーの送水口に向かってらせん状に分布する。
【００１１】
比較的好ましい場合、内格納室の容積と導流路の容積との比は１：１から１：１５との間である。
【００１２】
比較的好ましい場合、内格納室の直径と外格納室の直径との比は１：１．１から１：４との間である。
【００１３】
上述した課題を解決するための加熱システムは、上述した加熱装置および制御機構を備える。制御機構は電気制御モジュールおよび調節弁を有する。電気制御モジュールは調節弁に電気的に接続される。調節弁は一端の管路が外チャンバーの送水口に繋がり、他端が外部の水源に繋がる。加熱器の制御回路は電気制御モジュールに電気的に接続される。電気制御モジュールは加熱装置の電熱管を制御する。調節弁は外チャンバー内に流れ込む水流量を調節する。電熱管は水を加熱し、一定温度まで上昇させる。
【００１４】
本考案による加熱装置およびそれを使用する加熱システムの構成、設計、作動特徴および達成できる効果は、下記の実施形態により明確になる。
【図面の簡単な説明】
【００１５】
【図１】本考案の第１実施形態による加熱装置を示す斜視図である。
【図２】本考案の第１実施形態による加熱装置を示す断面図である。
【図３】本考案の第１実施形態による加熱装置の一部分を示す斜視図である。
【図４】本考案の第２実施形態による加熱装置の一部分を示す斜視図である。
【図５】本考案の第２実施形態による加熱装置を示す断面図である。
【図６】本考案の第３実施形態による加熱システムの構築を示す模式図である。
【考案を実施するための形態】
【００１６】
以下、本考案による加熱装置およびそれを使用するシステムを図面に基づいて説明する。下記の実施形態および図面において、同じ符号は同じまたはそれに類似した部品、構造、システム、構築、装置、プロセス、方法またはステップを示す。
【００１７】
（第１実施形態）
図１から図３に示すように、本考案の第１実施形態による加熱装置１０は、内チャンバー２０、外チャンバー３０および加熱器４０を備える。
【００１８】
内チャンバー２０は、内格納室２１、開口部２３、送水口２５および排水口２７を有する。内チャンバー２０において、開口部２３、送水口２５および排水口２７は内格納室２１に繋がる。
第１実施形態において、内チャンバー２０は送水口２５が開口部２３に近く、排水口２７から遠く離れる。
【００１９】
外チャンバー３０は、外格納室３１、開口部３３、送水口３５および貫通孔３７を有する。内チャンバー２０は外チャンバー３０の外格納室３１に配置される。外チャンバー３０において、開口部３３は内チャンバー２０の開口部２３に対応するように外格納室３１に繋がる。送水口３５は外格納室３１に繋がり、外部の水源を導入する。貫通孔３７は内チャンバー２０の排水口２７に対応し、内チャンバー２０の排水口２７を外チャンバー３０の外部に突出させる。
第１実施形態において、外チャンバー３０は送水口３５が貫通孔３７に近く、開口部３３から遠く離れる。内チャンバー２０の内格納室２１の直径と外チャンバー３０の外格納室３１の直径との比は１：１．１から１：４との間である。
【００２０】
加熱器４０は、固定部４１、制御回路４３および電熱管４５を有する。電熱管４５の一端は固定部４１に配置され、かつ制御回路４３に電気的に接続される。電熱管４５の他端は内チャンバー２０の内格納室２１の中に配置される。固定部４１は内チャンバー２０の開口部２３に当接し、被う。制御回路４３はケーブル（図中未表示）を有する。ケーブルは外部に接続される。
第１実施形態において、固定部４１は一部分が外チャンバー３０の開口部３３に突出するように配置されることによって制御回路４３を外部に繋げる。
【００２１】
加熱装置１０は、さらに内チャンバー２０の外壁と外チャンバー３０の内壁との間に形成された導流路５０を有する。外チャンバー３０の送水口３５は導流路５０に繋がる。内チャンバー２０の送水口２５は導流路５０に繋がる。内チャンバー２０の内格納室２１の容積と導流路５０の容積との比は１：１から１：１５との間である。
【００２２】
第１実施形態の技術特徴および効果は、一定温度まで効率よく、即時に加熱できることである。つまり、導流路５０は内チャンバー２０の外壁と外チャンバー３０の内壁との間に形成される。外部の水源は外チャンバー３０の送水口３５から導流路５０へ導入され、続いて内チャンバー２０の送水口２５から内チャンバー２０の内格納室２１へ導入される。ここで、加熱器４０の電熱管４５は作動を始め、一定温度まで上昇し、熱伝導によって導流路５０内に充満した水源を間接的に予熱し、昇温させる効果を生じる。続いて、水源は加熱器４０の電熱管４５によって一定温度に達するまで持続的に加熱され、そののち内チャンバー２０の排水口２７から外部へ導出される。上述した手段により、水源を加熱し、昇温させる効果を向上させる。
【００２３】
一方、内チャンバー２０の内格納室２１の容積と導流路５０の容積との比は一定範囲内であり、両者の差はあまり大きくないため、電熱管４５は内チャンバー２０の内格納室２１内の水源に即時加熱効果を生じることができる。
上述したとおり、加熱器４０による加熱コストを大幅に削減できるほかに、外部の水源は直接加熱装置１０の導流路５０へ導入され、そののち内格納室２１へ導入され、続いて内チャンバー２０の排水口２７から外部へ導出されるため、従来の技術のように外部の水源を予熱し、特定のチャンバーに保存しておく必要がなく、外部の水源の品質および温度を容易にコントロールできる。
【００２４】
以上は本考案の第１実施形態の技術特徴および達成できる効果についての説明である。続いて、第２実施形態の技術特徴および達成できる効果について説明する。
【００２５】
（第２実施形態）
図４および図５に示したのは本考案の第２実施形態による加熱装置１０Ａである。前述した第１実施形態との違いは下記のとおりである。
【００２６】
導流路５０Ａはさらに導流フィン５１を有する。導流フィン５１は外チャンバー３０Ａの送水口３５Ａから内チャンバー２０Ａの送水口２５Ａに向かってらせん状に分布する。
【００２７】
第２実施形態において、導流フィン５１の数は奇数であるが、これに限らず、偶数でもよい。導流フィン５１は内チャンバー２０Ａの外壁または外チャンバー３０Ａの内壁に配置される。
【００２８】
導流フィン５１は内チャンバー２０Ａの送水口２５Ａへ外部の水源を順調に導入できるだけでなく、導流路５０Ａでの水源の流動行程を増大させ、水源導入の効果を向上させるため、水源に対する予熱効果を間接的に向上させることができる。
【００２９】
以上は本考案の第２実施形態の技術特徴および達成できる効果についての説明である。続いて、第３実施形態の技術特徴および達成できる効果について説明する。
【００３０】
（第３実施形態）
図６に示すように、本考案の第３実施形態による加熱システム６０は第１実施形態および第２実施形態に適用され、第１実施形態または第２実施形態により掲示された加熱装置１０または１０Ａと、制御機構７０とを備える。
【００３１】
加熱システム６０において、制御機構７０は、電気制御モジュール７１および調節弁７３を有する。電気制御モジュール７１は調節弁７３に電気的に接続される。調節弁７３は一端の管路が外チャンバー３０Ｂの送水口３５Ｂに繋がり、他端が外部の水源に繋がる。
加熱器４０Ｂの制御回路４３Ｂは複数のケーブル４３１を有する。ケーブル４３１は電気制御モジュール７１に電気的に接続される。電気制御モジュール７１は電熱管（図中未表示）を制御するのに対し、調節弁７３は外チャンバー３０Ｂへ流れ込む水流量を調節する。電熱管（図中未表示）は水を加熱し、一定温度まで上昇させる。加熱した水は内チャンバーの排水口２７Ｂから外チャンバー３０Ｂの外部へ導出される。    
【００３２】
以上、本考案は、上記実施形態になんら限定されるものではなく、考案の趣旨を逸脱しない範囲において種々の形態で実施可能である。
【符号の説明】
【００３３】
１０、１０Ａ  加熱装置
２０、２０Ａ  内チャンバー
２１  内格納室
２３  開口部
２５、２５Ａ  送水口
２７、２７Ｂ  排水口
３０、３０Ａ、３０Ｂ  外チャンバー
３１  外格納室
３３  開口部
３５、３５Ａ、３５Ｂ  送水口
３７  貫通孔
４０、４０Ａ、４０Ｂ  加熱器
４１  固定部
４３、４３Ｂ  制御回路
４３１  ケーブル
４５  電熱管
５０、５０Ａ  導流路
５１  導流フィン
６０  加熱システム
７０  制御機構
７１  電気制御モジュール
７３  調節弁
【図１】
0003204272.tif 000003
【図２】
0003204272.tif 000004
【図３】
0003204272.tif 000005
【図４】
0003204272.tif 000006
【図５】
0003204272.tif 000007
【図６】
0003204272.tif 000008